(57)【特許請求の範囲】
【請求項１】
汚物を受けるボウル部と、前記汚物および前記ボウル部に供給された洗浄水を排出する排出流路と、を有し設置位置を移動可能とされた便器本体と、
前記排出流路に接続された排水管と、
前記排水管に接続され前記便器本体から前記排水管を通して前記汚物および前記洗浄水を吸引する吸引装置と、
前記汚物を貯留する貯留槽と、前記貯留槽に貯留された前記汚物および前記洗浄水を攪拌する攪拌部と、前記汚物および前記洗浄水を圧送し外部へ排出する圧送部と、を有する圧送装置と、
を備え、
前記吸引装置は、前記圧送装置よりも上流側且つ上方に設けられたことを特徴とする移動式水洗装置。
【請求項２】
前記排水管の少なくとも一部は、前記吸引装置に向けて立ち上がるように屈曲していることを特徴とする請求項１記載の移動式水洗装置。
【請求項３】
前記吸引装置と、前記圧送装置と、の間に設けられた逆止弁をさらに備えたことを特徴とする請求項１または２に記載の移動式水洗装置。
【請求項４】
前記排水管は、可撓性を有することを特徴とする請求項１〜３のいずれか１つに記載の移動式水洗装置。
【請求項５】
複数の前記排水管が、前記吸引装置に接続されたことを特徴とする請求項１〜４のいずれか１つに記載の移動式水洗装置。
【請求項６】
前記吸引装置および前記圧送装置は、前記便器本体が設けられた部屋の外側に設けられることを特徴とする請求項１〜５のいずれか１つに記載の移動式水洗装置。
【請求項７】
前記便器本体の材料は、樹脂であることを特徴とする請求項１〜６のいずれか１つに記載の移動式水洗装置。
【発明の詳細な説明】
【技術分野】
【０００１】
本発明の態様は、一般的に、移動式水洗装置に関する。
【背景技術】
【０００２】
例えば、便器本体と圧送装置とが一体的に設けられた水洗圧送移動式便器がある（特許文献１）。特許文献１に記載された圧送装置は、便器本体から排出された汚水中の糞などの固形物を粉砕し、汚水を外部へ強制的圧送する。特許文献１に記載された水洗圧送移動式便器は、排水環境の異なる場所間を移動して設置される場合であっても、それぞれの排水環境に適合した制御を行うことが可能である。
【０００３】
しかし、特許文献１に記載された水洗圧送移動式便器では、便器本体と圧送装置とが一体的に設けられているため水洗圧送移動式便器が比較的大きい。そのため、使用者が水洗圧送移動式便器を移動させにくいという点においては改善の余地がある。水洗圧送移動式便器が比較的小さく、水洗圧送移動式便器を移動させやすいことが望まれている。
【先行技術文献】
【特許文献】
【０００４】
【特許文献１】特開２０１０−２２２８０７号公報
【発明の概要】
【発明が解決しようとする課題】
【０００５】
本発明は、かかる課題の認識に基づいてなされたものであり、便器本体を比較的楽に移動させることができる移動式水洗装置を提供することを目的とする。
【課題を解決するための手段】
【０００６】
第１の発明は、汚物を受けるボウル部と、前記汚物および前記ボウル部に供給された洗浄水を排出する排出流路と、を有し設置位置を移動可能とされた便器本体と、前記排出流路に接続された排水管と、前記排水管に接続され前記便器本体から前記排水管を通して前記汚物および前記洗浄水を吸引する吸引装置と、前記汚物を貯留する貯留槽と、前記貯留槽に貯留された前記汚物および前記洗浄水を攪拌する攪拌部と、前記汚物および前記洗浄水を圧送し外部へ排出する圧送部と、を有する圧送装置と、を備え、前記吸引装置は、前記圧送装置よりも上流側且つ上方に設けられたことを特徴とする移動式水洗装置である。
また、この移動式水洗装置によれば、吸引装置の吸引力が低下することを抑えることができる。そのため、吸引装置の吸引力が維持され、吸引装置は、便器本体から汚物および洗浄水をより確実に吸引することができる。
【０００７】
この移動式水洗装置によれば、便器本体は、吸引装置および圧送装置とは別体として設けられている。そのため、便器本体を比較的小さくすることができ、使用者は、便器本体を比較的楽に移動させることができる。
【０００８】
第２の発明は、第１の発明において、前記排水管の少なくとも一部は、前記吸引装置に向けて立ち上がるように屈曲していることを特徴とする移動式水洗装置である。
【００１０】
第３の発明は、第１または２の発明において、前記吸引装置と、前記圧送装置と、の間に設けられた逆止弁をさらに備えたことを特徴とする移動式水洗装置である。
【００１１】
この移動式水洗装置によれば、吸引装置が圧送装置の貯留槽から汚水を吸引することを抑制することができる。
【００１２】
第４の発明は、第１〜３のいずれか１つの発明において、前記排水管は、可撓性を有することを特徴とする移動式水洗装置である。
【００１３】
この移動式水洗装置によれば、例えば使用者などは、使用状況に応じて便器本体をより楽に移動させることができる。
【００１４】
第５の発明は、第１〜４のいずれか１つの発明において、複数の前記排水管が、前記吸引装置に接続されたことを特徴とする移動式水洗装置である。
【００１５】
この移動式水洗装置によれば、吸引装置を簡略化することができる。
【００１６】
第６の発明は、第１〜５のいずれか１つの発明において、前記吸引装置および前記圧送装置は、前記便器本体が設けられた部屋の外側に設けられることを特徴とする移動式水洗装置である。
【００１７】
この移動式水洗装置によれば、例えば使用者などが誤って吸引装置および圧送装置を倒すことを抑制することができる。そのため、例えば使用者などは、移動式水洗装置をより安全に使用することができる。
【００１８】
第７の発明は、第１〜６のいずれか１つの発明において、前記便器本体の材料は、樹脂であることを特徴とする移動式水洗装置である。
【００１９】
この移動式水洗装置によれば、便器本体がより小型化される。そのため、例えば使用者などは、便器本体をより楽に移動させることができる。
【発明の効果】
【００２０】
本発明の態様によれば、便器本体を比較的楽に移動させることができる移動式水洗装置が提供される。
【図面の簡単な説明】
【００２１】
【図１】本発明の実施の形態にかかる移動式水洗装置の要部構成を表すブロック図である。
【図２】本実施形態の移動式水洗便器を表す模式的斜視図である。
【図３】本実施形態を移動式水洗便器を表す模式的平面図である。
【図４】本実施形態の圧送装置を表す模式的断面図である。
【図５】本発明の他の実施の形態にかかる移動式水洗装置の要部構成を表すブロック図である。
【発明を実施するための形態】
【００２２】
以下、本発明の実施の形態について図面を参照しつつ説明する。なお、各図面中、同様の構成要素には同一の符号を付して詳細な説明は適宜省略する。また、図面は模式的または概念的なものであり、各部品あるいは各装置の間の大きさの比率などは、必ずしも現実のものと同一とは限らない。
【００２３】
図１は、本発明の実施の形態にかかる移動式水洗装置の要部構成を表すブロック図である。  
図１に表したブロック図では、水路系の要部構成と電気系の要部構成とが併せて表示されている。
【００２４】
本実施形態にかかる移動式水洗装置１００は、移動式水洗便器１１０と、汚物ステーション１５０と、を備える。汚物ステーション１５０は、圧送装置２００と、吸引装置３００と、制御部１５１と、を有する。汚物ステーション１５０は、移動式水洗便器１１０が設置された部屋の外側に設けられている。例えば、汚物ステーション１５０は、移動式水洗便器１１０が設置された部屋の壁４０３の外側に設けられている。あるいは、汚物ステーション１５０は、建築躯体の壁４０３の外側（屋外）に設けられている。但し、汚物ステーション１５０の設置形態は、これだけには限定されない。
【００２５】
移動式水洗装置１００は、第１の配管１４１と、第２の配管１４３と、第３の配管（排水管）１４５と、をさらに備える。  
第１の配管１４１は、例えば水道や外部タンクなどの給水源１３０と、移動式水洗便器１１０と、を接続する。第１の配管１４１の途中には、第１の供給弁１３１が設けられている。第１の供給弁１３１が開くと、給水源１３０の水は、第１の配管を通して移動式水洗便器１１０に洗浄水として供給される。  
第２の配管１４３は、給水源１３０と、汚物ステーション１５０と、を接続する。第２の配管１４３の途中には、第２の供給弁１３３が設けられている。第２の供給弁１３３が開くと、給水源１３０の水は、第２の配管１４３を通して汚物ステーション１５０に供給される。  
第３の配管１４５は、可撓性を有し、移動式水洗便器１１０と、汚物ステーション１５０と、を接続する。本実施形態では、第３の配管１４５は、移動式水洗便器１１０と、吸引装置３００と、を接続する。第３の配管１４５の途中には、開閉弁３３１が設けられている。吸引装置３００および開閉弁３３１の詳細については、後述する。  
なお、ここでは、給水源１３０を用いて説明しているが、移動式水洗便器１１０に水を溜めるタンク等を設けても良い。
【００２６】
ここで、本実施形態の移動式水洗便器１１０について、図面を参照しつつ説明する。  
図２は、本実施形態の移動式水洗便器を表す模式的斜視図である。  
図３は、本実施形態を移動式水洗便器を表す模式的平面図である。  
図３（ａ）は、本実施形態の移動式水洗便器の設置状態を表す模式的平面図である。図３（ｂ）は、本実施形態の移動式水洗便器の移動状態を表す模式的平面図である。
【００２７】
本実施形態の移動式水洗便器１１０は、便器本体１１１と、カバー体１１９と、を有する。なお、カバー体１１９は、必ずしも設けられていなくともよい。便器本体１１１は、ボウル部１１３と、排出流路１１４と、フラッパ弁１１３ａと、を有する。ボウル部１１３は、汚物を一時的に受ける。排出流路１１４は、第３の配管１４５を通して吸引装置３００と接続されている。つまり、第３の配管１４５は、排出流路１１４と吸引装置３００と接続する。フラッパ弁１１３ａは、ボウル部１１３と排出流路１１４との間の接続部に設けられている。便器本体１１１の材料としては、例えば樹脂が挙げられる。
【００２８】
カバー体１１９は、第１のカバー１１９ａと、第２のカバー１１９ｂと、を有し、ボウル部１１３を除いた多くの便器本体１１１の部分を覆っている。第１のカバー１１９ａは、便器本体１１１の上部を覆う。第２のカバー１１９ｂは、便器本体１１１の下部を覆う。
【００２９】
本願明細書において、「上方」とは、鉛直方向であって移動式水洗便器１１０の前に立った者からみて上側の方向をいう。「下方」とは、鉛直方向であって移動式水洗便器１１０の前に立った者からみて下側の方向をいう。「前方」とは、水平方向であって移動式水洗便器１１０の前に立った者からみて手前側の方向をいう。「後方」とは、水平方向であって移動式水洗便器１１０の前に立った者からみて奥側の方向をいう。
【００３０】
第１のカバー１１９ａおよび第２のカバー１１９ｂには、肘掛け１１５が設けられている。移動式水洗便器１１０の下部には、脚部１１７および車輪１１８が設けられている。第１のカバー１１９ａには、スイッチ１１６が設けられている。スイッチ１１６は、スイッチ１１６の操作に基づいた信号を制御部１５１に出力する。なお、スイッチ１１６は、必ずしも第１のカバー１１９ａに設けられていなくともよい。例えば、スイッチ１１６は、リモコン（図示せず）に設けられていてもよい。
【００３１】
図３（ａ）に表したように、移動式水洗便器１１０が設置された状態（設置状態）では、脚部１１７と、車輪１１８と、は、床面４０１と接触している。設置状態において、使用者は、移動式水洗装置１００を使用することができる。
【００３２】
一方で、図３（ｂ）に表したように、移動式水洗便器１１０が移動する状態（移動状態）では、移動式水洗便器１１０の前部が、床面４０１から例えば使用者などにより持ち上げられている。そのため、脚部１１７は、床面４０１から上方へ離れている。車輪１１８は、床面４０１と接触したままである。
【００３３】
このように、本実施形態にかかる移動式水洗装置１００では、移動式水洗便器１１０の設置位置が移動可能とされている。具体的には、便器本体１１１の設置位置が移動可能とされている。
【００３４】
ここで、図１に戻って説明すると、一般的に、移動状態の移動式水洗便器が大きいと、例えば使用者などは移動式水洗便器を移動させにくい。そのため、移動式水洗便器が比較的小さく、移動式水洗便器を移動させやすいことが望まれている。
【００３５】
これに対して、本実施形態にかかる移動式水洗装置１００では、汚物ステーション１５０が移動式水洗便器１１０とは別体となっている。前述したように、例えば、汚物ステーション１５０は、移動式水洗便器１１０が設置された部屋の外側に設けられている。移動式水洗便器１１０と汚物ステーション１５０との間における汚物および洗浄水の搬送は、吸引装置３００によって行われる。吸引装置３００は、ボウル部１１３から排出された汚物および洗浄水を第３の配管１４５を通して吸引する。
【００３６】
しかし、吸引装置が吸引可能な距離は、比較的短い。そのため、吸引装置だけでは、汚物および洗浄水を遠くまで搬送できないことがある。
【００３７】
これに対して、本実施形態にかかる移動式水洗装置１００では、汚物ステーション１５０は、圧送装置２００をさらに有する。圧送装置２００は、吸引装置３００から排出された汚物および洗浄水を攪拌し、第４の配管２５３を通して汚水枡１７０へ圧送する。圧送装置２００が圧送可能な距離は、吸引装置３００が吸引可能な距離よりも長い。このように、本実施形態では、吸引装置３００と圧送装置２００とが、別体として設けられている。なお、本実施形態では、吸引装置３００および圧送装置２００は、１つのユニットとして汚物ステーション１５０に設けられているが、互いに別のユニットとして設けられていてもよい。
【００３８】
本実施形態によれば、移動式水洗便器１１０は、吸引装置３００および圧送装置２００とは別体として設けられている。そのため、移動式水洗便器１１０を比較的小さくすることができ、使用者は、移動式水洗便器１１０を比較的楽に移動させることができる。また、第３の配管１４５が可撓性を有するため、例えば使用者などは、使用状況に応じて移動式水洗便器１１０をより楽に移動させることができる。また、移動式水洗便器１１０が設置された部屋の外側に汚物ステーション１５０が設けられているため、例えば使用者などが誤って吸引装置３００および圧送装置２００を倒すことを抑制することができる。そのため、例えば使用者などは、本実施形態にかかる移動式水洗装置１００をより安全に使用することができる。さらに、便器本体１１０の材料が樹脂である場合には、便器本体１１０は、陶器製の便器本体よりも軽量である。そのため、使用者は、移動式水洗便器１１０をより楽に移動させることができる。
【００３９】
次に、図１を参照しつつ、本実施形態の吸引装置３００についてさらに説明する。  
吸引装置３００は、圧送装置２００よりも上流側に設けられ、タンク本体３１０と、真空ポンプ３２１と、エアフィルタ３２３と、開閉弁３３１と、減圧弁３３３と、大気開放弁３３５と、排出弁３３７と、を有する。吸引装置３００は、気圧計３２５をさらに有していてもよい。
【００４０】
タンク本体３１０は、所定の真空圧に耐えうる耐圧容器である。タンク本体３１０の内部が減圧され、大気開放される際の吸引力により、タンク本体３１０は、ボウル部１１３から排出された汚物および洗浄水を第３の配管１４５を通して吸引する。
【００４１】
真空ポンプ３２１は、タンク本体３１０の内部の空気を吸引し、タンク本体３１０の内部を減圧する。タンク本体３１０の内部は、便器本体１１１のボウル部１１３に溜まった汚物および洗浄水が吸引装置３００に確実に吸引されるように負圧状態に設定される。
【００４２】
図１に表したように、エアフィルタ３２３および減圧弁３３３は、タンク本体３１０と、真空ポンプ３２１と、を接続する配管の途中に設けられている。エアフィルタ３２３は、タンク本体３１０から真空ポンプ３２１に引き込まれる空気中の異物を取り除く。減圧弁３３３は、真空ポンプ３２１がタンク本体３１０の内部の真空引きを行うタイミングを制御する。
【００４３】
開閉弁３３１は、第３の配管１４５の途中に設けられている。図１に表した吸引装置３００では、開閉弁３３１は、吸引装置３００の吸引口の近傍に設けられている。
【００４４】
大気開放弁３３５は、タンク本体３１０に設けられ、タンク本体３１０の内部を大気開放する。また、図示しないが、吸着材が大気開放弁３３５の下流側に設けられる。吸着材は、臭いを吸着し、大気開放弁３３５の開放により汚物の臭いが室内に侵入することを抑制する。なお、汚物の臭いは、直接的に室外に排出されてもよい。  
排出弁３３７は、吸引装置３００と圧送装置２００とを接続する配管の途中に設けられている。
【００４５】
開閉弁３３１、減圧弁３３３、大気開放弁３３５、および排出弁３３７のそれぞれとしては、例えば電磁弁が挙げられる。開閉弁３３１、減圧弁３３３、大気開放弁３３５、および排出弁３３７のそれぞれの開閉動作は、制御部１５１により制御される。
【００４６】
気圧計３２５は、タンク本体３１０の内部の気圧を測定し、その測定データ（気圧のデータ）を制御部１５１へ送信する。
【００４７】
ここで、本実施形態の吸引装置３００の動作について説明する。  
例えば使用者がスイッチ１１６を操作すると、制御部１５１は、減圧弁３３３を開き、真空ポンプ３２１の動作を開始する。このとき、開閉弁３３１、大気開放弁３３５、および排出弁３３７は、閉じている。これにより、タンク本体３１０の内部が真空引きされる。
【００４８】
続いて、例えば制御部１５１が内蔵するタイマに基づいて所定時間が経過すると、制御部１５１は、減圧弁３３３を閉じ、真空ポンプ３２１の動作を停止する。これにより、タンク本体３１０の内部は、予め定められた気圧に減圧される。なお、制御部１５１は、タイマではなく、気圧計３２５から送信された測定データに基づいて、減圧弁３３３を閉じ、真空ポンプ３２１の動作を停止してもよい。例えば、制御部１５１は、気圧計３２５から送信された測定データ（気圧データ）が予め定められた気圧になると、減圧弁３３３を閉じ、真空ポンプ３２１の動作を停止する。つまり、制御部１５１は、気圧計３２５から送信される測定データに基づいてフィードバック制御を実行する。これにより、タンク本体３１０の内部は、予め定められた気圧により確実に減圧される。
【００４９】
続いて、制御部１５１は、開閉弁３３１を開ける。これにより、便器本体１１１のボウル部１１３に溜まった汚物および洗浄水が、第３の配管１４５を通してタンク本体３１０に吸引される。すなわち、開閉弁３３１が開いた状態では、タンク本体３１０は、第３の配管１４５を介して便器本体１１１と通じる。便器本体１１１が大気に開放されているため、タンク本体３１０の内部は、減圧された状態から大気圧に戻ろうとする。すると、吸引力がタンク本体３１０の内部に生ずる。これにより、フラッパ弁１１３ａが開き、便器本体１１１のボウル部１１３に溜まった汚物および洗浄水がタンク本体３１０に吸引される。
【００５０】
続いて、汚物および洗浄水がタンク本体３１０の内部に吸引された状態で、制御部１５１は、大気開放弁３３５を開く。これにより、タンク本体３１０の内部が大気開放される。制御部１５１は、大気開放弁３３５を開いた後に、排出弁３３７を開く。これにより、タンク本体３１０の内部に溜まった汚物および洗浄水は、圧送装置２００へ向かって流れる。所定時間が経過すると、制御部１５１は、大気開放弁３３５および排出弁３３７を閉じる。
【００５１】
本実施形態によれば、吸引装置３００が圧送装置２００よりも上流側に設けられているため、吸引装置３００の吸引力が低下することを抑えることができる。そのため、吸引装置３００の吸引力が維持され、吸引装置３００は、便器本体１１１のボウル部１１３から汚物および洗浄水をより確実に吸引することができる。
【００５２】
次に、本実施形態の圧送装置２００について、図面を参照しつつ説明する。  
図４は、本実施形態の圧送装置を表す模式的断面図である。
【００５３】
本実施形態の圧送装置２００は、吸引装置３００の下流側に設けられている。  
圧送装置２００は、便器本体１１１から排出された汚物および洗浄水を攪拌し、圧送装置２００の外部へ圧送する。  
本願明細書において、「攪拌」という範囲には、汚物および洗浄水をかき回すことだけではなく、例えば汚物などの固形物を細かく砕くこと（粉砕）が含まれるものとする。
【００５４】
図４に表したように、圧送装置２００は、ケーシング２０１と、貯留槽２１０と、モータ２２１と、攪拌部２３０と、圧送部２４０と、圧送路２５１と、を有し、吸引装置３００から排出された汚物や洗浄水を攪拌して流動性を高めた汚水として圧送し排出する。貯留槽２１０と、攪拌部２３０と、圧送部２４０と、圧送路２５１と、は、ケーシング２０１の内部に設けられている。モータ２２１は、ケーシング２０１の上部に固定されている。
【００５５】
貯留槽２１０は、孔２１１を有する。貯留槽２１０の外部であってケーシング２０１の内部は、孔２１１を通して貯留槽２１０の内部と接続されている。  
モータ２２１には、軸２２３が固定されている。軸２２３は、モータ２２１において発生したトルクを受けて回転し、そのトルクを攪拌部２３０および圧送部２４０に伝達する。
【００５６】
攪拌部２３０は、パルセータ２３１と、ベース板２３３と、を有し、軸２２３に固定されている。攪拌部２３０は、軸２２３を介してモータ２２１から伝達されたトルクを受けて回転する。パルセータ２３１は、軸２２３に対して垂直方向に延びている。ベース板２３３は、パルセータ２３１の下側に設けられ、表面に設けられた突起部を有する。
【００５７】
圧送部２４０は、インペラ２４１を有し、軸２２３の下端部に固定されている。つまり、圧送部２４０は、攪拌部２３０の下側に設けられている。圧送部２４０は、貯留槽２１０の内部ではなく、貯留槽２１０の外部に設けられている。
【００５８】
図４に表した矢印Ａ１のように、便器本体１１１から流出された汚物や洗浄水は、貯留槽２１０の内部へ流れる。貯留槽２１０の内部へ流れた汚物や洗浄水のうちで孔２１１の大きさよりも小さいものは、孔２１１を通して貯留槽２１０の外部へ流れる。一方で、貯留槽２１０の内部へ流れた汚物や洗浄水のうちで孔２１１の大きさよりも大きいものは、孔２１１を通過できず貯留槽２１０の内部に貯留される。
【００５９】
パルセータ２３１がモータ２２１から伝達されたトルクを受けて回転すると、貯留槽２１０の内部に貯留されていた汚物や洗浄水がパルセータ２３１により攪拌される。また、撹拌によって生じた流れ（攪拌流）によって汚物が粉砕される。  
ベース板２３３がモータ２２１から伝達されたトルクを受けて回転すると、貯留槽２１０の内部に貯留されていた汚物や洗浄水は、攪拌され、より高い流動性を有する汚水となる。汚水は、孔２１１を通して貯留槽２１０の外部へ流れる。
【００６０】
図４に表した矢印Ａ２のように、孔２１１を通して貯留槽２１０の外部へ流れた汚物や洗浄水や汚水は、圧送部２４０の下側から圧送部２４０の内部へ吸い込まれる。圧送部２４０の内部へ吸い込まれた汚物や洗浄水や汚水は、インペラ２４１により圧送され、圧送路２５１を通って圧送装置２００の外部へ排出される。圧送装置２００の外部へ排出された汚物や洗浄水や汚水は、第４の配管２５３を通り汚水枡１７０へ流れる。
【００６１】
図１および図４に表したように、逆止弁３３９が吸引装置３００と圧送装置２００との間に設けられている。具体的には、逆止弁３３９は、吸引装置３００と圧送装置２００とを接続する配管の途中に設けられている。逆止弁３３９は、吸引装置３００が圧送装置２００の貯留槽２１０から汚水を吸引することを抑制する。
【００６２】
図５は、本発明の他の実施の形態にかかる移動式水洗装置の要部構成を表すブロック図である。  
図５に表したブロック図では、水路系の要部構成と電気系の要部構成とが併せて表示されている。
【００６３】
本実施形態にかかる移動式水洗装置１００ａは、図１に関して前述した移動式水洗装置１００と比較して、複数の移動式水洗便器１１０を備える。図５に表した例では、２つの移動式水洗便器１１０が設けられている。移動式水洗装置１００ａが備える移動式水洗便器１１０の数は、特には限定されない。複数の移動式水洗便器１１０が設けられているため、本実施形態にかかる移動式水洗装置１００ａは、複数の第１の配管１４１と、複数の第３の配管１４５と、を備える。
【００６４】
複数の第１の配管１４１のそれぞれの途中には、第１の供給弁１３１が設けられている。つまり、複数の第１の供給弁１３１が設けられている。  
複数の第３の配管１４５のそれぞれの途中には、開閉弁３３１が設けられている。つまり、複数の開閉弁３３１が設けられている。  
その他の構造は、図１に関して前述した移動式水洗装置１００の構造と同じである。
【００６５】
本実施形態によれば、汚物ステーション１５０を簡略化することができる。具体的には、吸引装置３００を簡略化することができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、移動式水洗装置１００、１００ａなどが備える各要素の形状、寸法、材質、配置などや汚物ステーション１５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１００、１００ａ 移動式水洗装置、  １１０ 移動式水洗便器、  １１１ 便器本体、  １１３ ボウル部、  １１３ａ フラッパ弁、  １１４ 排出流路、  １１５ 肘掛け、  １１６ スイッチ、  １１７ 脚部、  １１８ 車輪、  １１９ カバー体、  １１９ａ 第１のカバー、  １１９ｂ 第２のカバー、  １３０ 給水源、  １３１ 第１の供給弁、  １３３ 第２の供給弁、  １４１ 第１の配管、  １４３ 第２の配管、  １４５ 第３の配管、  １５０ 汚物ステーション、  １５１ 制御部、  １７０ 汚水枡、  ２００ 圧送装置、  ２０１ ケーシング、  ２１０ 貯留槽、  ２１１ 孔、  ２２１ モータ、  ２２３ 軸、  ２３０ 攪拌部、  ２３１ パルセータ、  ２３３ ベース板、  ２４０ 圧送部、  ２４１ インペラ、  ２５１ 圧送路、  ２５３ 第４の配管、  ３００ 吸引装置、  ３１０ タンク本体、  ３２１ 真空ポンプ、  ３２３ エアフィルタ、  ３２５ 気圧計、  ３３１ 開閉弁、  ３３３ 減圧弁、  ３３５ 大気開放弁、  ３３７ 排出弁、  ３３９ 逆止弁、  ４０１ 床面、  ４０３ 壁
【図１】
0006327583.tif 000002
【図２】
0006327583.tif 000003
【図３】
0006327583.tif 000004
【図４】
0006327583.tif 000005
【図５】
0006327583.tif 000006